(57)【要約】【課題】放送信号からの時間情報取得の操作性を高める。【解決手段】ＸＤＳスキャンマスタＭ２は、予め指定されたチャンネルの時間情報の取得動作（Ｓ２８、ＲＴ）の実行中であっても、ユーザがお好みチャンネルをキー入力したことを割込み６０により検出すると（Ｓ２１）、該指定チャンネルの取得動作をキャンセルする。このとき、チューナ設定マスタＭ３は指定チャンネルに代替して検出されたお好みチャンネルに対応の放送信号を受信開始する。ＸＤＳスキャンマスタＭ２は受信したお好みチャンネルに対応の放送信号からの時間情報の取得動作を実行する（Ｓ２８）。したがって、お好みチャンネルが指定されるごとに、それまで実行中の取得動作はキャンセルされて、優先的にユーザが現在指定するお好みチャンネルについての取得動作が実行される。【選択図】　　　　図４
2004096368.tif 000002
【特許請求の範囲】
【請求項１】
放送信号を受信する受信手段と、
現在時刻を計時するための時間情報を検索して取得する動作を実行する時間情報取得手段と、
所望チャンネルを外部からの操作を介して指定するためのチャンネル指定手段と、
処理手段とを備えて、
前記時間情報取得手段は、
前記受信手段により受信した放送信号から指定された前記チャンネルに対応の放送信号を抽出する信号抽出手段と、
前記信号抽出手段により抽出された放送信号から、前記時間情報を検索する情報検索手段とを有し、
前記時間情報取得手段は、前記所望チャンネルが指定されるごとに、実行中の前記取得動作をキャンセルして、現在指定された前記所望チャンネルについて前記取得動作を実行し、
前記チャンネル指定手段は、
前記所望チャンネルを、対応の放送信号を前記受信手段で受信可能なチャンネル群から選択して指定するための受信可能チャンネル選択指定手段、前記所望チャンネルを、対応の放送信号が送信されているチャンネル群から選択して指定するための全チャンネル選択指定手段、および所望チャンネルを直接に指定するチャンネル直接指定手段のいずれかと、前記チャンネル群を一覧表示するチャンネル一覧表示手段とを含み、
前記処理手段は、前記所望チャンネルの前記検索手段による前記時間情報の検索について取得の決定が指示されないときに起動されて、起動されると、前記検索手段により前記時間情報が未だ検索されていないチャンネルを指定して、前記時間情報取得手段により前記取得動作を実行する、放送受信装置。
【請求項２】
放送信号を受信する受信手段と、
現在時刻を計時するための時間情報を検索して取得する動作を実行する時間情報取得手段とを備えて、
前記時間情報取得手段は、
前記受信手段により受信した放送信号から指定チャンネルに対応の放送信号を抽出する信号抽出手段と、
前記信号抽出手段により抽出された放送信号から、前記時間情報を検索する情報検索手段とを有し、
前記時間情報取得手段は、所望チャンネルが指定されるごとに、実行中の前記取得動作をキャンセルして、現在指定された前記所望チャンネルについて前記取得動作を実行する、放送受信装置。
【請求項３】
前記所望チャンネルを外部からの操作を介して指定するためのチャンネル指定手段をさらに備える、請求項２に記載の放送受信装置。
【請求項４】
前記チャンネル指定手段は、
前記所望チャンネルを、対応の放送信号を前記受信手段で受信可能なチャンネル群から選択して指定するための受信可能チャンネル選択指定手段を含む、請求項３に記載の放送受信装置。
【請求項５】
前記チャンネル指定手段は、
前記所望チャンネルを、対応の放送信号が送信されているチャンネル群から選択して指定するための全チャンネル選択指定手段を含む、請求項３に記載の放送受信装置。
【請求項６】
前記チャンネル指定手段は、前記チャンネル群を一覧表示するチャンネル一覧表示手段をさらに含む、請求項４または５に記載の放送受信装置。
【請求項７】
前記チャンネル指定手段は、前記所望チャンネルを直接に指定するチャンネル直接指定手段を含む、請求項３に記載の放送受信装置。
【請求項８】
前記所望チャンネルの前記検索手段による前記時間情報の検索について取得の決定が指示されないときに起動される処理手段をさらに備えて、
前記処理手段は、
前記検索手段により前記時間情報が未だ検索されていないチャンネルを指定して、前記時間情報取得手段により前記取得動作を実行する、請求項２から７のいずれか１項に記載の放送受信装置。
【発明の詳細な説明】
【０００１】
【発明の属する技術分野】
この発明は放送信号の受信装置に関し、特に、ＴＶ（テレビジョンの略）信号に関連して放送される時間情報を受信する放送受信装置に関する。
【０００２】
【従来の技術および発明が解決しようとする課題】
放送受信システムでは、放送信号にＸＤＳ（Ｅｘｔｅｎｄｅｄ　Ｄａｔａ　Ｓｅｒｖｉｃｅｓ）として重畳された現在時刻の情報を取得して、取得された現在時刻情報に基づいて、放送受信システムのための時刻調整をする、いわゆるオートアドジャストシステムが搭載されている。
【０００３】
現在時刻の情報は放送局によって放送していたり、放送していなかったりするので、システムは全チャンネルについてチューニングして、現在時刻の情報が放送されているチャンネルをチェックしている。このようなシステム側の全チャンネルの自動チューニングによってＸＤＳ情報の受信が検出されたチャンネルのうち、番号の小さいチャンネルのＸＤＳ情報を取得するものが知られている。
【０００４】
放送受信システムは上述の全チャンネルについてのチューニング動作中に、オペレータが現在時刻の情報を取得すべきチャンネルを指定するための入力をしても、システムはチューニング動作を依然として継続して、全チャンネルについてのチューニング動作が終了するまで該入力を受付けなかったので、操作性に優れなかった。
【０００５】
また、上述の全チャンネルについてのチューニング動作に代替して次のようにすることもできる。つまり、ユーザが現在時刻の情報を含むＸＤＳ情報を放送しているチャンネルを指定して、システムは指定されたチャンネルの放送信号を受信して、受信信号から現在時刻情報を取得することもできる。しかしながら、ユーザは予め現在時刻情報を放送しているチャンネルを知っておかなければならないので実用性に優れない。
【０００６】
放送信号を受信してＸＤＳ情報を取得する技術は、たとえば特開平１０−２３３４４号、特開平１０−３１３４４７号、特開平１１−３１７９１３号、特開２０００−９２４２６および特開２００１−２７５０９０に開示されている。これら公報では、受信システムにより自動的にＸＤＳ情報を取得する動作中にユーザによるチャンネルが指定されると、動作を中断してこれを速やかに受付けて、指定チャンネルについてＸＤＳ情報を取得するための手順は何ら示されていない。
【０００７】
それゆえにこの発明の目的は、放送信号から時間情報を取得するための操作性に優れた放送受信装置を提供することである。
【０００８】
【課題を解決するための手段】
この発明のある局面に従うと、放送受信装置は、放送信号を受信する受信手段と、現在時刻を計時するための時間情報を取得する動作を実行する時間情報取得手段とを備える。時間情報取得手段は、受信手段により受信した放送信号から指定チャンネルに対応の放送信号を抽出する信号抽出手段と、信号抽出手段により抽出された放送信号から、時間情報を検索する情報検索手段とを有する。時間情報取得手段は、所望チャンネルが指定されるごとに、実行中の取得動作をキャンセルして、現在指定された所望チャンネルについて取得動作を実行する。
【０００９】
上述の放送受信装置によれば、指定されたチャンネルについて時間情報の取得動作を実行中であっても、所望チャンネルが指定されると、取得動作の実行はキャンセルされて、現在指定されている所望チャンネルについての時間情報の取得動作が実行される。
【００１０】
上述の放送受信装置は、好ましくは所望チャンネルを外部からの操作を介して指定するためのチャンネル指定手段をさらに備えるから、所望チャンネルを外部から操作して指定できる。
【００１１】
上述のチャンネル指定手段は、好ましくは、所望チャンネルを、対応の放送信号を受信手段で受信可能なチャンネル群から選択して指定するための受信可能チャンネル選択指定手段を含む。したがって、所望チャンネルは対応の放送信号が受信可能なチャンネルであるから、情報検索手段による検索のヒット率は高まり、時間情報をより確実に取得できる。
【００１２】
上述のチャンネル指定手段は、好ましくは、所望チャンネルを、対応の放送信号が送信されているチャンネル群から選択して指定するための全チャンネル選択指定手段を含む。
【００１３】
したがって、所望チャンネルを対応の放送信号が放送されているチャンネル群から選択できるので、所望チャンネルの選択の自由度は高まる。
【００１４】
上述のチャンネル指定手段は、好ましくは、チャンネル群を一覧表示するチャンネル一覧表示手段をさらに含むので、チャンネル群の一覧表示を確認しながら所望チャンネルを選択できる。
【００１５】
上述のチャンネル指定手段は、好ましくは、所望チャンネルを直接に指定するチャンネル直接指定手段を含む。したがって、所望チャンネルを予め準備されたチャンネル群から選択して指定することなく、ダイレクトに指定できる。
【００１６】
上述の放送信号受信装置は、好ましくは、所望チャンネルの検索手段による時間情報の検索について取得の決定が指示されないときに起動される処理手段をさらに備える。そして、処理手段は、検索手段により時間情報が未だ検索されていないチャンネルを指定して、時間情報取得手段により取得動作を実行する。
【００１７】
したがって、所望チャンネルの検索結果に基づいて時間情報を取得する決定が指示されないときは、所望チャンネルの時間情報取得動作に代替して時間情報が未だ検索されていないチャンネルについて時間情報取得動作が実行される。
【００１８】
【発明の実施の形態】
以下、この発明の実施の形態について図面を参照して詳細に説明する。一般にＸＤＳ情報には、現在の時間を示す時間情報の他に番組名、番組のランク付け情報なども含まれているが、ここでは説明を簡単にするためにＸＤＳ情報は現在の時間を示す時間情報であると想定する。
【００１９】
図１には、この発明の実施の形態に適用される受信システムの構成が示される。図１の構成はＮＴＳＣ（Ｎａｔｉｏｎａｌ　Ｔｅｌｅｖｉｓｉｏｎ　Ｓｙｓｔｅｍ　Ｃｏｍｍｉｔｔｅｅ　Ｓｔａｎｄａｒｄ）に従う放送信号を受信する場合のシステムを示すが、放送信号はＮＴＳＣに従うものに限定されず、ＡＴＳＣ（Ａｄｖａｎｃｅｄ　Ｔｅｌｅｖｉｓｉｏｎ　Ｓｙｓｔｅｍ　Ｃｏｍｍｉｔｔｅｅ）に従うものであってもよい。ＡＴＳＣに従う場合はＸＤＳ情報に代替してＲＲＴ（Ｒａｔｉｎｇ　Ｒｅｇｉｏｎ　Ｔａｂｌｅ）情報が適用される。
【００２０】
図１において受信システムは、放送信号を受信するアンテナ１、所定チャンネルの周波数を指示する選局信号２０に基づいて同調動作して、アンテナ１により受信した放送信号のうちの、所定チャンネルに対応の放送信号２１を選択的に抽出して出力するチューナ２、チューナ２から出力された放送信号２１を入力して処理して、ＸＤＳ情報２２と映像信号２３とを出力するＮＴＳＣデコーダ３、該受信システム自体を集中的に制御するＭＰＵ（Ｍｉｃｒｏ　Ｐｒｏｃｅｓｓｏｒ　Ｕｎｉｔ）４、ＭＰＵ４によりアクセスされる各種情報を記憶するメモリ５、与えられる情報に基づいて画像なごの情報を表示する表示部６、表示部６にＯＳＤ（Ｏｎ　Ｓｃｒｅｅｎ　Ｄｉｓｐｌａｙ）などに従う情報を表示するための表示処理部７、およびリモコン（リモートコントローラの略）９から送信される赤外線などによる操作信号２４を受信して、受信した操作信号２４をデータに変換してＭＰＵ４に与えるリモコン受信部８を備える。
【００２１】
ＭＰＵ４は内部にタイマ４１を有し、タイマ４１はＸＤＳ情報に従う現在時刻が取得されると、これが設定されて、現在時刻を計時する機能を有する。
【００２２】
ＮＴＳＣデコーダ３はＸＤＳ分析部３１を有する。ＸＤＳ分析部３１は放送信号２１を入力して所定期間（例えば映像信号２３の２１番目の水平走査期間）に重畳されているＸＤＳ情報を抽出して、抽出結果を示すデジタル情報のＸＤＳ抽出情報２２に変換してＭＰＵ４に出力する。ＸＤＳ抽出情報２２はＸＤＳ情報が抽出できたときは抽出されたＸＤＳ情報を示すが、抽出できなかったときはその旨の情報を示す。
【００２３】
リモコン９の主表面にはユーザのための操作パネルが設けられて、操作パネルには、表示部６における後述のカーソルを画面上で左右方向または上下方向に移動させるために操作されるカーソルキー９１、所望チャンネルの直接指定をするために操作されるテンキー９２、および操作内容を決定するために操作される決定キー９３を備える。リモコン９に備えられるキーの種類はこれに限定されない。
【００２４】
メモリ５には、図２（Ａ）と（Ｂ）に示すチャンネルマップ５１およびチャンネルテーブル５２が記憶される。図２（Ａ）を参照してチャンネルマップ５１には、図１のアンテナ１を介して受信可能な放送信号に対応のすべてのチャンネルの番号が登録される。
【００２５】
図２（Ｂ）を参照して、チャンネルテーブル５２には、対応の放送信号が送信されている全てのチャンネルについて、該チャンネルの番号を示すデータ８１、該チャンネルの番号がチャンネルマップ５１に登録されているか否かを示すデータ８２、および該チャンネルの放送信号にＸＤＳ情報が存在しているか否かをフラグで示すデータ８３を含む情報が登録される。データ８３のフラグが“０”を示すときＸＤＳ情報が対応のチャンネルの放送信号に存在するか否か未定であることを指し、“１”を示すときＸＤＳ情報が対応のチャンネルの放送信号に存在することを指し、“−１”を示すとき対応のチャンネルの放送信号についてＸＤＳ情報に関する検索が未だ行なわれていないことを指す。
【００２６】
図３（Ａ）と（Ｂ）には、ＸＤＳ情報を検索する際に表示部６に表示される画面の一例が示される。図３（Ａ）の画面では領域７１、７２および７３において情報が表示される。図３（Ｂ）には後述の空き時間処理ＲＴの実行中に領域７３に表示される内容が示される。
【００２７】
領域７１には、図１の受信装置にて対応の放送信号が受信可能であるか否かにかかわらず対応の放送信号が送信されている全てのチャンネルの番号が表示されている。領域７２には、対応の放送信号を図１の受信装置において受信することができるチャンネルの番号が表示される。領域７１にはチャンネルテーブル５２のデータ８１に基づく内容が表示されてもよい。領域７２にはチャンネルマップ５１に予め格納された情報に基づく内容が表示されてもよい。領域７３には、あるチャンネルの放送信号を受信して受信した放送信号からＸＤＳ情報を検索するための操作（以下、スキャンという）が実行されている際に、検索結果に基づいてＸＤＳ情報が取得されたチャンネル番号を含む各種のメッセージが表示される。
【００２８】
領域７１および７２においてはチャンネル番号を指定するためにカーソル７４および７５がそれぞれ表示される。カーソル７４および７５は、リモコン９のカーソルキー９１の操作に連動して画面上を移動する。図３の画面の情報は、ＭＰＵ４の制御の下に、表示処理部７によりＯＳＤに従い映像信号２３の画面に重畳して表示される。
【００２９】
図４および図５には本実施の形態に適用されるＸＤＳ情報取得に関する処理手順が示される。図４と図５においては処理手順がＰＡＤ（Ｐｒｏｂｌｅｍ　Ａｎａｌｙｓｉｓ　Ｄｉａｇｒａｍ）に従い示されている。
【００３０】
図３のＰＡＤでは、それぞれがタスクで構成される画面表示マスタＭ１、ＸＤＳスキャンマスタＭ２およびチューナ設定マスタＭ３が、ＭＰＵ４のタスク制御によりマルチタスクにて実行される。ＭＰＵ４はマルチタスクにて実行中にリモコン９およびリモコン受信部８を介してスキャンが所望されるチャンネル指定のためのキー入力を受けると、該キー入力を割込み６０として受付けて、それまで実行していたタスクを放棄して所定のタスクの実行に移行する。本実施の形態では割込み６０により実行が開始される所定タスクとは、ＸＤＳスキャンマスタＭ２である。
【００３１】
画面表示マスタＭ１は表示部６における画面の表示を制御するためにステップＳ（以下、単にＳと略す）１１の処理を含む。ＸＤＳスキャンマスタＭ２は、コントローラ９を介したユーザによるキー入力内容に基づいて、ＸＤＳ情報の取得処理を行なうためにＳ２１〜Ｓ３２からなる処理を有する。チューナ設定マスタＭ３は、チューナ２によるチューニング処理を実行するためにＳ４１およびＳ４２の処理を含む。図５は図４の空き時間処理ＲＴに対応の手順を示す。
【００３２】
図３のＰＡＤに従うＸＤＳ情報の取得動作を、スキャンが所望されるチャンネルの選択先となるチャンネルのグループを場合分けして説明する。
【００３３】
（選択先のグループが全チャンネルの場合）
ユーザが、スキャンを所望するチャンネルを放送信号の受信の可否にかかわらず、対応の放送信号を送信している全てのチャンネル、すなわち図３の領域７１に表示されるチャンネル群から選択する場合について説明する。
【００３４】
図４に従う処理が起動される。ユーザは、図３の領域７１に表示されるチャンネル番号の一覧を確認して、スキャン対象の所望チャンネルの番号を指定するためにリモコン９のカーソルキー９１を操作してカーソル７４を移動させる。移動により、カーソル７４が指し示すチャンネルについてＸＤＳ情報のスキャンが実行開始される。ここではチャンネル番号の一覧を参照しながら所望チャンネルを指定するので、ユーザは簡単・確実に所望チャンネル指定できる。ここで、ＸＤＳ情報のスキャン中であっても、ユーザによってカーソル７４が操作され、所望チャンネルの指定が変更されたならば、ＭＰＵ４は現在実行中のスキャンを中断して、新たに指定された所望チャンネルについてスキャンを開始する。
【００３５】
まず、ユーザが領域７１においてカーソル７４を移動させて所望チャンネルの番号（図３では“６”）を指定すると、画面表示マスタＭ１は、カーソル７４を図３に示される位置で表示処理部７を介して画面表示する（Ｓ１１）。
【００３６】
また、ＸＤＳスキャンマスタＭ２はリモコン９からの操作信号２４を、リモコン受信部８を介して割込み６０として入力して、カーソル９１によるキー入力ありと判定する（Ｓ２１）。したがって、スキャン対象のチャンネルの番号を示す変数Ｓ−ＣＨに“６”を設定する（Ｓ３１）。
【００３７】
変数Ｓ−ＣＨに“６”が設定されると、ＸＤＳスキャンマスタＭ２により再び、キー入力の有無が判定される（Ｓ２１）。ユーザはキー入力をしないので、変数Ｓ−ＣＨが示すチャンネル番号（“６”）についてＸＤＳ情報を既に発見したか否か判定される（Ｓ２２）。
【００３８】
具体的には、チャンネルテーブル５２を検索して、変数Ｓ−ＣＨが示すチャンネル番号（“６”）のデータ８１に対応のデータ８３のフラグが“−１”または“０”であるか否か判定される（Ｓ２２）。判定結果、“−１”　または“０”であれば、未だチャンネル番号（“６”）の放送信号においてＸＤＳ情報が存在したことがないので、変数Ｓ−ＣＨのチャンネル番号（“６”）に対応の周波数の設定がチューナ２において完了しているか否かが判定される（Ｓ２４）。未完了と判定されると変数Ｓ−ＣＨで示されるチャンネルについてのチューニング処理が指示される（Ｓ２５）。
【００３９】
チューニング処理が指示されると、チューナ設定マスタＭ３は、チューナ２の設定が変化したと判定するので（Ｓ４１でＹＥＳ）、チューナ２のセット処理を行なう（Ｓ４２）。具体的には、指示されたチャンネル（変数Ｓ−ＣＨが示すチャンネル番号“６”）に対応の放送信号の周波数を指示する選局信号２０をチューナ２に出力する。これにより、チューナ２は、与えられた選局信号２０に基づいてチューニング処理を開始する。
【００４０】
その後、ＸＤＳスキャンマスタＭ２は、ユーザによるキー入力を検出しないので（Ｓ２１）、Ｓ２２の処理を経て、変数Ｓ−ＣＨのチャンネル番号（“６”）に対応の周波数の設定がチューナ２において完了していると判定する（Ｓ２４）。その後、変数Ｓ−ＣＨのチャンネル番号（“６”）についてスキャンが実行されて、スキャン実行開始されると、その後、所定時間スキャンが継続するか否か判定される（Ｓ２６）。スキャンの継続が所定時間内であると判定されると、後述のＸＤＳ取得処理に移行するが、所定時間を超えれば後述の空き時間処理ＲＴに移行する。
【００４１】
Ｓ２６の判定は、ユーザにより変数Ｓ−ＣＨのチャンネル番号（“６”）のスキャンについてＸＤＳ情報の取得の決定を指示するための決定キー９３のキー入力が、所望チャンネル指定のキー入力以後の所定時間内に行われるか否かに基づいて判定される。
【００４２】
所定時間内に決定キー９３の入力が検出されると、チューニング処理により抽出された放送信号２１に基づくＸＤＳ抽出情報２２の取得処理がなされて（Ｓ２８）、ＸＤＳ抽出情報２２に基づいてＸＤＳ情報が存在したか否か判定される（Ｓ２９）。存在していると判定されると、チャンネルテーブル５２の対応のデータ８３が“１”にセットされる（Ｓ３０ａ）。また、画面表示マスタＭ１によりステップＳ１１で、領域７３にその旨のメッセージが表示される。存在していると判定されなければ、チャンネルテーブル５２の対応のデータ８３は“−１”から“０”に更新される、または“０”のままとされる（Ｓ３０ｂ）。また、画面表示マスタＭ１によりステップＳ１１で、領域７３にその旨のメッセージが表示される。
【００４３】
所定時間を経過してもなお決定キー９３のキー入力が検出できないときは、ＸＤＳスキャンマスタＭ２は、ユーザはＸＤＳ情報を取得すべきオートアドジャストチャンネルの最終決定をせずにシステムを放置していると、すなわち無意味に同一所望チャンネルについてのスキャンが繰返されていると判定して空き時間処理ＲＴを実行する。
【００４４】
空き時間処理ＲＴでは変数Ｓ−ＣＨにより指定されている所望チャンネル以外のチャンネルのうち、ＸＤＳ情報が未検索（対応のデータ８３が“−１”を示す）チャンネルのそれぞれについてスキャンを実行するための処理が行われる。
【００４５】
図５を参照して空き時間処理ＲＴでは、変数ｉにチャンネル番号１から変数ＣＨ−ＭＡＸで示される最大のチャンネル番号まで順次設定しながら（Ｓ５１）、以下の処理を行う。つまり、変数ｉに設定されたチャンネルについてチャンネルテーブル５２を検索して、変数ｉのチャンネルのデータ８１に対応のデータ８３がＸＤＳ情報の未検索（対応のデータ８３が“−１”を示す）を示すときは（Ｓ５２）、変数ｉのチャンネル番号を引数にして上位の処理に戻る（Ｓ５３）。したがって、ユーザからのカーソルキー９１またはテンキー９２操作によるチャンネル番号の次回の指定入力が検出されるまでは、変数ｉのチャンネル番号が変数Ｓ−ＣＨに設定されてスキャンが繰返し行われる。このようにして変数ｉに変数ＣＨ−ＭＡＸで示される最大のチャンネル番号が順次設定されて、設定された変数ｉに対応のチャンネルについてのスキャンが、変数ｉを更新しながら繰返される。その結果、全チャンネルについてのスキャンが完了する（Ｓ５４）。
【００４６】
空き時間処理ＲＴにおいては、スキャン対象のチャンネル指定のキー入力が検出されるまでの空き時間において、スキャンがなされていないチャンネルに対してスキャン動作を実行できる。空き時間処理ＲＴが実行される際には、図３（Ｂ）のように領域７３には、画面表示マスタＭ１により情報が表示される。情報７３Ａは空き時間処理ＲＴにより現在スキャンされているチャンネルの番号を示し、情報７３Ｂは空き時間処理ＲＴによりスキャン終了してＸＤＳ情報の存在が検出されたチャンネルの番号を順次に示す。
【００４７】
前述のステップＳ２２で、キー入力により指定された所望チャンネルについてＸＤＳ情報が存在していると判定されれば、画面表示マスタＭ１によりステップＳ１１で、その旨のメッセージが領域７３に表示されて、前述した空き時間処理ＲＴが行なわれる。
【００４８】
図６には図４の処理手順の特徴が模式的に示される。図６を参照すると、ユーザにより時刻ｔ１に指定された所望チャンネルＣＨ．ｎについてスキャンを実行中の時刻ｔ２に、あらたな所望チャンネルＣＨ．ｎ＋１が指定されると、チャンネルＣＨ．ｎについて実行中のスキャンは中断（キャンセル）されて、現在指定されているチャンネルＣＨ．ｎ＋１についてチューニング処理がなされてスキャンが開始される。したがって、スキャン実行に際しては、ユーザが指定する最新の所望チャンネルにつてのスキャンが優先されるので、優れた操作性を提供できる。
【００４９】
（選択先のグループがチャンネルマップに登録のチャンネル群である場合）
通常、放送信号を受信できないチャンネルに関しては、ＸＤＳ情報を取得することができない。このことから、スキャン対象となるチャンネルを、チャンネルマップ５１に登録されたチャンネル群に限定する方が、上述の全チャンネルを選択対象とする場合に比べてＸＤＳ情報を効率的に取得できる。この場合、ユーザは図３（Ａ）の領域７２のチャンネル群からカーソル７５を前述と同様に操作して、スキャンしてＸＤＳ情報を取得すべき所望チャンネルを指定することができる。ここでは選択対象となるチャンネルの番号が領域７２（チャンネルマップ５１）から選択されるという点を除いては、他の動作は図４に示したそれと同様なので説明を省略する。
【００５０】
なお、チャンネルマップ５１に登録されていないチャンネル番号（領域７２に表示されないチャンネル番号）のチャンネルに関してもスキャン可能として、操作性を高めてもよい。つまり、ユーザがリモコン９のテンキー９２を操作して所望のチャンネル（領域７２に表示されていないチャンネル）の番号を直接に入力したと判定されたときは（Ｓ２１）、変数Ｓ−ＣＨに、ユーザが直接入力したチャンネル番号が設定されて（Ｓ３２）、指定されたチャンネルについてスキャンが実行される。ここでは所望チャンネルの番号がテンキー９２の操作により直接指定されるという点を除いては、他の動作は図４に示したそれと同様なので説明を省略する。
【００５１】
これにより、チャンネルマップ５１に未登録のチャンネルであってもユーザのテンキー９２を用いた所望のチャンネルの番号入力により、スキャンが可能となるのでスキャン対象となりうるチャンネルの候補に関する制限をなくすことができて、より操作性は高まる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５３】
【発明の効果】
この発明によれば、指定されたチャンネルについて時間情報の取得動作を実行中であっても、所望チャンネルが指定されると、現在指定されている所望チャンネルについての時間情報の取得動作に移行するので、ユーザは所望チャンネルを指定するだけで、現在時刻を計時するための時間情報を、優先的に所望チャンネルの放送信号から取得できる。
【００５４】
また、所望チャンネルを外部から操作して指定できる。
また、所望チャンネルは対応の放送信号が受信可能なチャンネルであるから、情報検索手段による検索のヒット率は高まり、時間情報をより確実に取得できる。
【００５５】
また、所望チャンネルを対応の放送信号が放送されているチャンネル群から選択することもできるので、所望チャンネルの選択の自由度は高まる。
【００５６】
また、所望チャンネルの選択時には、選択対象のチャンネル群がチャンネル一覧表示手段により一覧表示されるので、チャンネル群の一覧表示を確認しながら所望チャンネルを選択できる。
【００５７】
また、チャンネル直接指定手段により、所望チャンネルを予め準備されたチャンネル群から選択して指定することなく、ダイレクトに指定できる。
【００５８】
また、所望チャンネルの検索結果に基づいて時間情報を取得する決定が指示されないときは、所望チャンネルの時間情報取得動作に代替して時間情報が未だ検索されていないチャンネルについて時間情報取得動作を行うことができる。
【図面の簡単な説明】
【図１】この発明の実施の形態に適用される受信システムの構成図である。
【図２】（Ａ）と（Ｂ）はチャンネルマップとチャンネルテーブルを示す図である。
【図３】（Ａ）と（Ｂ）には、ＸＤＳ情報を検索する際に表示される画面の一例を示す図である。
【図４】本実施の形態に適用されるＸＤＳ情報取得に関する処理手順を示す図である。
【図５】本実施の形態に適用されるＸＤＳ情報取得に関する処理手順を示す図である。
【図６】図４の処理手順の特徴を模式的に示す図である。
【符号の説明】
１　アンテナ、２　チューナ、３　ＮＴＳＣデコーダ、４　ＭＰＵ、５　メモリ、６　表示部、７　表示処理部、８　リモコン受信部、９　リモコン、２０　選局信号、２１　放送信号、２２　ＸＤＳ抽出情報、２３　映像信号、２４　操作信号、３１　ＸＤＳ分析部、４１　タイマ、５１　チャンネルマップ、５２　チャンネルテーブル、９１　カーソルキー、９２　テンキー、９３　決定キー、ＲＴ　空き時間処理。
【図１】
2004096368.tif 000003
【図２】
2004096368.tif 000004
【図３】
2004096368.tif 000005
【図４】
2004096368.tif 000006
【図５】
2004096368.tif 000007
【図６】
2004096368.tif 000008